(57)【要約】【課題】本発明は、モーターと回転刃が相互に垂直して設置されている構造により、前記モーターをベースの一側に収容させることができて、屑箱の垂直スペースに影響を与えなく、シュレッダーの体積を大幅に縮小することができるシュレッダー細断機構及びシュレッダーを提供する。【解決手段】本発明に係るシュレッダーの細断機及びシュレッダーは、構芯部カバーと、モーターと、変速機構及び少なくとも二つの回転刃とを備え、前記モーターには電源が外接され、前記変速機構は出力ギヤを有してモーターの回転子の上に設置され、前記少なくとも二つの回転刃は芯部カバーの上に設置されて、別々に回転軸を持ち、各回転軸の同じ方向の一端には相互に噛み込んでいるコラムギヤが設置され、いずれかの一つの回転刃の回転軸には伝動ギヤが設置されているが、ここで、前記出力ギヤと前記伝動ギヤは、相互に噛み込んで且つ両種供にテーパ形のギヤである。【選択図】    図３
2006205167.tif 000002
【特許請求の範囲】
【請求項１】
芯部カバーと、モーターと、変速機構及び少なくとも二つの回転刃とを備え、前記モーターには電源が外接され、前記変速機構は出力ギヤを有してモーターの回転子の上に設置され、前記少なくとも二つの回転刃は芯部カバーの上に設置されて、別々に回転軸を持ち、各回転軸の同じ方向の一端には相互に噛み込んでいるコラムギヤが設置され、いずれかの一つの回転刃の回転軸には伝動ギヤが設置されているシュレッダーの細断機構であって、
前記出力ギヤと前記伝動ギヤは、相互に噛み込んで且つすべてテーパ形のギヤである
ことを特徴とするシュレッダーの細断機構。
【請求項２】
前記出力ギヤと伝動ギヤの軸の交差角は９０度である
ことを特徴とする請求項１に記載のシュレッダーの細断機構。
【請求項３】
前記回転刃の回転軸に設置されている伝動ギヤと該回転軸の上に設置されているコラムギヤは全部該回転軸の同じ方向の一端に位置している
ことを特徴とする請求項１若しくは２のいずれかに記載のシュレッダーの細断機構。
【請求項４】
前記回転刃の回転軸に設置されている伝動ギヤと該回転軸の上に設置されているコラムギヤはそれぞれ該回転軸の不同な方向の一端に位置している
ことを特徴とする請求項１若しくは２のいずれかに記載のシュレッダーの細断機構。
【請求項５】
請求項１に記載の細断機構を含んで、トップカバーと、下部カバーと、ベースとを備え、前記ベースには屑箱が内置され、前記下部カバーは排屑口を有して前記べースの上に設置され、前記細断機構は前記下部カバー上に設置され、前記トップカバーとベースは鎖固して前記細断機構及び前記下部カバーを内置するシュレッダーであって、
前記下部カバーには貫通口が設置され、前記細断機構のモーターは該貫通口を介して前記ベースに内置される
ことを特徴とするシュレッダー。
【請求項６】
前記出力ギヤ及び伝動ギヤの軸の交差角は９０度である
ことを特徴とする請求項5に記載のシュレッダー。
【請求項７】
前記回転刃の回転軸に設置されている伝動ギヤと該回転軸の上に設置されているコラムギヤは全部該回転軸の同じ方向の一端に位置している
ことを特徴とする請求項5若しくは6のいずれかに記載のシュレッダー。
【請求項８】
前記回転刃の回転軸に設置されている伝動ギヤと該回転軸の上に設置されているコラムギヤはそれぞれ該回転軸の不同な方向の一端に位置している
ことを特徴とする請求項5若しくは6のいずれかに記載のシュレッダー。
【発明の詳細な説明】
【技術分野】
【０００１】
本発明は紙類の細断機構及び該細断機構を応用するシュレッダーに関するものである。
【背景技術】
【０００２】
普通のシュレッダーの細断機構はモータと、二つの回転刃とを備え、前記モーターの回転子は変速箱と連結し、該変速箱の出力端には出力ギヤが設置され、前記二つの回転刃にそれぞれ接合されている回転軸の同端には互いに噛合っている第一ギヤと第二ギヤが設置されており、更に、前記モーターに近付いている一つの回転刃のギヤには、第一ギヤが設置されている以外、前記出力ギヤと噛み込んでいる伝動ギヤが設置されている。このため、モーターが動作する時、前記出力ギヤは該モーターの駆動によって回転させ、これにより該伝動ギヤに接合された軸を回転させ、さらに前記第一ギヤを同調に回転させ、該第一ギヤの駆動を介して前記第二ギヤを回転させる。従って、以上の伝動過程によって、前記二つの回転刃を協力させて細断作業を行うことができる。
【０００３】
現在、周知されているシュレッダーの細断機構において、採用される出力ギヤと伝動ギヤは全部コラムギヤ（円柱状のギヤ）であるため、モーターと回転刃が前後関係又は左右関係の平行な構造で配置されることしかできない。しかし、このような配置構造の故に、シュレッダーの左右の幅又は前後の幅が制限されて、シュレッダー全体の体積の縮小化にも限りを与え、該シュレッダーの本体を特に巨大に造らせる。
【０００４】
業界において、シュレッダーの体積を縮小するように、モーターを二つ回転刃の上方或は下方に平行に放置する考え方案を提出したが、今まで応用できていないが、それは前記モーターを前記回転刃の上方及び下方のどっちの方位に設置しても、前記シュレッダーの上下の高さを増大させるためである。例えば、前記モーターを前記回転刃の上方に置く場合は、シュレッダーの給紙に影響をもたらすことがあり、或は、該モーターを前記回転刃の下方に置く場合は、それを前記屑箱に設置することができるが、こうすると屑箱の収容スペースを大幅に圧縮し、更に、紙屑によりモーターが閉塞されることがあって、この様な考え方案は積極な効果を引起さなく、実用できない。
【発明の開示】
【発明が解決しようとする課題】
【０００５】
以上の問題点に鑑みて、本発明はモーターと回転刃が相互に垂直する方式で設置されているシュレッダーの細断機構を提供する。
【０００６】
更に、本発明はコストが上がらない条件で、体積が小さくなるシュレッダーを提供する。
【課題を解決するための手段】
【０００７】
次に、本発明に係る実施形態に基づいて、シュレッダー及びそれの細断機構を説明する。
【０００８】
本発明の実施形態に係るシュレッダーの細断機構は、芯部カバーと、モーターと、変速機構と、少なくとも二つの回転刃とを備え、前記モーターには電源が外接され、前記変速機構は出力ギヤを有してモーターの回転子上に設置され、前記少なくとも二つの回転刃は芯部カバーの上に設置されて、別々に回転軸を持ち、各回転軸の同じ方向の一端には相互に噛み込んでいるコラムギヤが設置され、いずれかの一つの回転刃の回転軸には伝動ギヤが設置されているが、ここで、前記出力ギヤと前記伝動ギヤは、相互に噛み込んで且つ両種共にテーパ形のギヤである。
【０００９】
また、前記細断機構を含むシュレッダーは、トップカバーと、下部カバーと、ベースとを備え、前記ベースには屑箱が内置され、前記下部カバーは排屑口を有して前記べースの上に設置され、前記細断機構は前記下部カバー上に設置され、前記トップカバーとベースは鎖固して前記細断機構及び前記下部カバーを内置するが、ここで、前記下部カバーには貫通口があって、前記細断機構のモーターは該貫通口を介して前記ベースに内置される。
【発明の効果】
【００１０】
従来の技術と比べ、本発明は最適化された伝動構造から組立てたシュレッダー及びそれの細断機構を提供するが、内装しているモーターと回転刃は、従来でよく採用される平行な設置方式を変更して、相互に垂直して設置されているので、前記モーターをベースの一側に収容させることができて、屑箱の垂直スペースに影響を与えなく、これによりシュレッダーの体積を大幅に縮小することができる。
【発明を実施するための最良の形態】
【００１１】
以下図面に基づいて、本発明の実施形態に係るシュレッダー及びそれの細断機構に対して詳細に説明する。
【００１２】
図１と図２に示すように、本実施形態に係るシュレッダーはトップカバー１１と、細断機構５と、下部カバー３と、ベース１４を備え、前記下部カバー３は排屑口３１を有して前記べース１４上に設置され、前記細断機構５は前記下部カバー３上に設置され、前記トップカバー１１とベース１４は鎖固して前記下部カバー３及び前記細断機構５を内置する。前記トップカバーには紙投入口１２が設けられている。紙は該トップカバー１１の紙投入口１２から投入されて、前記細断機構５を通過する時に細断されて紙屑になって、前記排屑口３１から前記ベース１４に内置している屑箱６（図４を参考）に収容される。
【００１３】
図３と図４に示すように、前記細断機構５は主回転刃５１（図１を参考）と、副回転刃５２（図１を参考）と、前記芯部カバー５８と、モーター５３と、変速機構５４とを含むが、前記モーター５３には電源（図示せず）が外接され、前記主回転刃５１及び副回転刃５２はそれぞれ自体の回転軸５１０及び５２０を介して前記芯部カバー５８内に設置され、該各回転軸５１０及び５２０の同じ方向の一端は前記芯部カバー５８から突出して、別々に相互に噛み込んでいる主コラムギヤ５１１と副コラムギヤ５２１を備えている。
【００１４】
このほか、前記主回転刃５１の回転軸５１０の外側端にはさらに伝動ギヤ５１８が設置されているが、該伝動ギヤ５１８はテーパ形のギヤである。前記モーター５３は、前記芯部カバー５８の外側に設置されて、内置する回転子を上に向ける状態にさせ、また前記主回転刃５１及び副回転刃５２の縦方向の長い面と垂直している。更に、前記モーター５３の回転子には周知されている変速機構５４が設置されて、該変速機構は５４は出力ギヤ５４８を備えているが、該出力ギヤ５４８もテーパ形のギヤである。ここで、前記伝動ギヤ５１８と出力ギヤ５４８は相互に噛み込んで、両者が形成している軸の交差角が９０度になる。
【００１５】
図２と図4に示すように、前記モーター５３が垂直状に放置されている変更に応じて、前記下部カバー３には貫通口が３２が設けられるが、該貫通口３２を介して該モーター５３は前記ベース１４の一側に内置される。また、前記屑箱６の縦方向のスペースは前記ベース１４（図１を参考）の縦方向のスペースより狭くて、該ベース１４での前記モーター５３の内置状態に影響を与えることがなく、更に、前記モーター５３が前記屑箱６での紙屑の収容スペースに影響を与えることもない。
【００１６】
また、図１乃至図４に示すように、前記テーパ形の伝動ギヤ５１８と出力ギヤ５４８により形成される軸の交差角は他の角度範囲で選ばれても良いが、最適な角度は９０度である。
【００１７】
そして、前記主回転刃５１に設置されている伝動ギヤ５１８は、前記回転軸５１０の別の一端に放置しても良いが、この場合相応的に、前記モーター５３と、変速機構５４及び出力ギヤ５４８を前記主コラムギヤ５１１と副コラムギヤ５２１の別の一端に放置すれば良い。
【００１８】
また、前記変速機構５４はボックス（図示せず）で封止することができるが、この技術は周知されているので、ここでは詳細な説明を略する。
【００１９】
更に、本発明に係るシュレッダーは複数の回転刃を備えることができ、各回転刃と接合された回転軸の同じ方向の一端にはそれぞれコラムギヤが設置され、隣接している二つのコラムギヤが相互に噛み込んでおり、いずれかの一つの回転軸には前記変速機構５４上の出力ギヤ５４８と相互噛み込んでいるテーパ形の伝動ギヤ５１８が増設されている。この様な方案とすると、従来の複数の紙投入口及び多種の切断機能を有するシュレッダーにも適用される。
【００２０】
シュレッダーに通電して作業を行う場合、前記モーター５３が回転され、その回転速度は、前記変速機構５４の複数のギヤの噛み込みを介して、出力ギヤ５４８を比較的に低速で回転させるようにする。また、該出力ギヤ５４８は自体と噛み込んでいる前記伝動ギヤ５１８を駆動させるが、該伝動ギヤ５１８は前記主回転刃５１の回転軸５１０を駆動させることにより前記主回転刃５１を回転させる。この時、該主回転刃５１に設置されている主コラムギヤ５１１も回転されて、さらに該主コラムギヤ５１１と噛み込んでいる副コラムギヤ５２１を駆動させ、従って副回転刃５２を駆動して反転させ、つまり、前記主コラムギヤ５１と相互反対な方向に回転するようにして、前記主回転刃５１と副回転刃５２の協力により紙の細断機能を実現する。
【００２１】
上記のように、本発明に係る細断機構を応用するシュレッダーは、自体の体積が大幅に減少されて、もっと簡便になり、更に占地面積の縮小化及び運搬効率の向上をより一層高めることができる。
【図面の簡単な説明】
【００２２】
【図１】本発明の実施形態に係るシュレッダーの組立構造を示す斜視図である。
【図２】本発明の実施形態に係るシュレッダーの下部カバーを示す斜視図である。
【図３】本発明の実施形態に係るシュレッダー細断機構を示す斜視図である。
【図４】本発明の実施形態に係るシュレッダー細断機構と屑箱を組立てる場合の側面概略図である。
【図１】
2006205167.tif 000003
【図２】
2006205167.tif 000004
【図３】
2006205167.tif 000005
【図４】
2006205167.tif 000006